(57)【要約】【課題】簡易な構成で、グランド回路の経路を増加させると同時に生産性を高めることを可能とする。【解決手段】一つのグランド部材ＧＵの異なる部位に半田接続される複数のグランドシェル接続片１３ｂ３，ＧＵｂを導電性シェル１３に一体形成し、一つのグランド部材ＧＵを、複数のグランドシェル接続片１３ｂ３，ＧＵｂを介して印刷配線基板側に接続することによりグランド回路の経路数を増加させるとともに、信号導電端子１２に対する信号線ＳＣａの半田接続と同時にグランドシェル接続片ＧＵｂに対するグランド部材ＧＵの半田接続を同時に行い、生産性の低下を防止するように構成したもの。【選択図】図１０
2008277020.tif 000002
【特許請求の範囲】
【請求項１】
多極配列された信号線及びシールド線の端末部分が接続されるものであって、
前記信号線の端末部分を半田接続された信号導電端子が印刷配線基板に接続されることにより信号回路が構成されるとともに、
前記シールド線の端末部分を半田接続されたグランド部材が導電性シェルを介して印刷配線基板に接続されることによりグランド回路が構成される電気コネクタにおいて、
前記導電性シェルは、少なくとも第１の導電性シェルと第２の導電性シェルから構成され、
それら第１の導電性シェル及び第２の導電性シェルの各々には、前記グランド部材に接触するグランドシェル接続片が一体的に形成され、
当該第１の導電性シェルのグランドシェル接続片と、前記第２の導電性シェルのグランドシェル接続片とは、同一の前記グランド部材であって互いに異なる部位にそれぞれ接触するように配置されているとともに、
前記第１及び第２の導電性シェルのいずれか一方に形成されたグランドシェル接続片と前記グランド部材との接続部位が、前記信号導電端子と前記信号線との接続部位に対して前記多極配列の方向に隣接する位置に設けられていることを特徴とする電気コネクタ。
【請求項２】
前記グランドシェル接続片と前記グランド部材との接続部位が、前記信号導電端子と前記信号線との接続部位に対して前記多極配列と直交する高さ方向において略同一の高さ位置となるように設けられていることを特徴とする請求項１記載の電気コネクタ。
【請求項３】
前記第１及び第２の導電性シェルのいずれか一方の導電性シェルが、前記信号線及びシールド線における多極配列方向のほぼ全幅にわたって延在するように設けられていることを特徴とする請求項１記載の電気コネクタ。
【請求項４】
前記信号線及びシールド線が、同軸ケーブルとして構成され、その同軸ケーブルが多極配列されていることを特徴とする請求項１記載の電気コネクタ。
【請求項５】
前記第１及び第２の導電性シェルのいずれか一方の導電性シェルには、前記同軸ケーブルを位置規制するケーブル規制部材が一体的に形成されていることを特徴とする請求項１記載の電気コネクタ。
【請求項６】
前記信号線及びシールド線が接続される第１のコネクタと、前記印刷配線基板に接続される第２のコネクタとが嵌合・離脱可能となるように構成されていることを特徴とする請求項１記載の電気コネクタ。
【請求項７】
前記第１及び第２のコネクタが、前記印刷配線基板の平面に対して略直交する方向に嵌合される垂直嵌合型コネクタとして構成されていることを特徴とする請求項１記載の電気コネクタ。
【請求項８】
多極配列された信号線及びシールド線の端末部分を印刷配線基板に接続する電気コネクタの製造方法であって、
前記信号線の端末部分を半田接続した信号導電端子を印刷配線基板に接続することにより信号回路を構成するとともに、前記シールド線の端末部分を半田接続したグランド部材を導電性シェルを介して印刷配線基板に接続することによりグランド回路を構成するようにした電気コネクタの製造方法において、
前記導電性シェルを、少なくとも第１の導電性シェルと第２の導電性シェルから構成し、それら第１の導電性シェル及び第２の導電性シェルの各々に前記グランド部材に接触するグランドシェル接続片を一体的に形成し、当該第１の導電性シェルのグランドシェル接続片と、前記第２の導電性シェルのグランドシェル接続片とを、同一の前記グランド部材であって互いに異なる部位にそれぞれ接触するように配置しておくとともに、前記第１の導電性シェルに形成したグランドシェル接続片と前記グランド部材との接続部位を、前記信号導電端子と前記信号線との接続部位に対して前記多極配列の方向に隣接する位置に設けておき、
前記信号導電端子を前記信号線に接続すると同時に、前記第１の導電性シェルに形成したグランドシェル接続片を前記グランド部材に接続するようにしたことを特徴とする電気コネクタの製造方法。
【発明の詳細な説明】
【技術分野】
【０００１】
本発明は、シールド線に接続されたグランド部材を導電性シェルを介して印刷配線基板側に接続するように構成された電気コネクタ及びその製造方法に関する。
【背景技術】
【０００２】
一般に、携帯電話等の種々の電子機器又は電気機器において、同軸ケーブルやフレキシブル配線基板、或いは印刷配線基板等により導かれた信号線及びシールド線を、電気コネクタを介して印刷配線基板側に接続させることが広く行われている。例えば、下記の特許文献１においては、同軸ケーブルの信号線（中心導体）及びシールド線（外部導体）が、プラグコネクタからなる第１のコネクタ側に接続されているとともに、印刷配線基板上にリセプタクルコネクタからなる第２のコネクタが接続・固定されており、第１のコネクタ（プラグコネクタ）が第２のコネクタ（リセプタクルコネクタ）に対して上方側から垂直嵌合されることによって、上記同軸ケーブルの信号線及びシールド線が印刷配線基板側の導電路に対して電気的に接続されるようになっている。
【０００３】
このような電気コネクタにおいては、シールド線がグランド接続されることによりグランド回路が構成されているが、そのグランド回路は、電磁波障害（ＥＭＩ）や静電気（ＥＳＤ）に対する対策として重要なものとなっている。グランド回路の具体的な構造としては、例えば、上述した同軸ケーブルのシールド線（外部導体）に適宜のグランド部材（グランドプレート）が半田接合され、そのグランド部材の表面に対して、第１のコネクタ（プラグコネクタ）を覆う導電性シェルの板バネ状接続片が圧接又は半田接合され、さらに、その第１のコネクタの導電性シェルに対して第２のコネクタ（リセプタクルコネクタ）側の導電性シェルの一部が接触された状態で、当該第２のコネクタ側の導電性シェルが、印刷配線基板上に形成されたグランド導電路（グランドパターン）に半田接続されることによってグランド回路が構成されるようになっている。
【０００４】
一方、近年における電送速度の高速化に伴って、電気コネクタにおける電磁波障害（ＥＭＩ）や静電気（ＥＳＤ）への対策を強化することが要請されている。しかしながら、上述した従来の電気コネクタでは、例えば同軸ケーブルのシールド線（外部導体）から印刷配線基板のグランド導電路（グランドパターン）に至るまでのグランド回路を構成している経路が少なくなっている場合があり、特に最近のようにコネクタ全体の低背化又は小型化が進められるに従って、シールド機能が低下する傾向になって来ている。その結果、電磁波障害（ＥＭＩ）や静電気（ＥＳＤ）に対する電気コネクタのシールド機能が低下するおそれがある。
【０００５】
【特許文献１】特開２００４−２５９６７２号公報
【発明の開示】
【発明が解決しようとする課題】
【０００６】
そこで本発明は、簡易な構成で、シールド機能を低廉かつ大幅に向上させることができるようにした電気コネクタ及びその製造方法を提供することを目的とする。
【課題を解決するための手段】
【０００７】
上記目的を達成するため本発明では、多極配列された信号線及びシールド線の端末部分が接続されるものであって、前記信号線の端末部分を半田接続された信号導電端子が印刷配線基板に接続されることにより信号回路が構成されるとともに、前記シールド線の端末部分を半田接続されたグランド部材が導電性シェルを介して印刷配線基板に接続されることによりグランド回路が構成される電気コネクタにおいて、前記導電性シェルは、少なくとも第１の導電性シェルと第２の導電性シェルから構成され、それら第１の導電性シェル及び第２の導電性シェルの各々には、同一の前記グランド部材における異なる部位にそれぞれ接触するグランドシェル接続片が一体的に形成され、当該第１の導電性シェルのグランドシェル接続片と、前記第２の導電性シェルのグランドシェル接続片とは、同一の前記グランド部材であって互いに異なる部位にそれぞれ接触するように配置されているとともに、前記第１及び第２の導電性シェルのいずれか一方に形成されたグランドシェル接続片と前記グランド部材との接続部位が、前記信号導電端子と前記信号線との接続部位に対して前記多極配列の方向に隣接する位置に設けられている。
【０００８】
さらに上記目的を達成するため本発明では、多極配列された信号線及びシールド線の端末部分を印刷配線基板に接続する方法であって、前記信号線の端末部分を半田接続した信号導電端子を印刷配線基板に接続することにより信号回路を構成するとともに、前記シールド線の端末部分を半田接続したグランド部材を導電性シェルを介して印刷配線基板に接続することによりグランド回路を構成するようにした電気コネクタの製造方法において、前記導電性シェルを、少なくとも第１の導電性シェルと第２の導電性シェルから構成し、それら第１の導電性シェル及び第２の導電性シェルの各々に前記グランド部材に接触するグランドシェル接続片を一体的に形成し、当該第１の導電性シェルのグランドシェル接続片と、前記第２の導電性シェルのグランドシェル接続片とを、同一の前記グランド部材であって互いに異なる部位にそれぞれ接触するように配置しておくとともに、前記第１の導電性シェルに形成したグランドシェル接続片と前記グランド部材との接続部位を、前記信号導電端子と前記信号線との接続部位に対して前記多極配列の方向に隣接する位置に設けておき、前記信号導電端子を前記信号線に接続すると同時に、前記第１の導電性シェルに形成したグランドシェル接続片を前記グランド部材に接続するようにしている。
【０００９】
このような構成を有する本発明によれば、シールド線に接続された一つのグランド部材の複数箇所に対して、第１の導電性シェル及び第２の導電性シェルにそれぞれ設けられたグランドシェル接続片が接続され、一つのグランド部材が、複数のグランドシェル接続片を介して印刷配線基板側へ接続されることとなり、一つのグランド部材により形成されるグランド回路の経路の数が増加されることによって当該グランド回路の抵抗値が減少されるようになっている。
また、第１及び第２の導電性シェルのいずれか一方に形成された導電性シェルのグランドシェル接続片とグランド部材との接続が、多極配列方向に隣接する信号導電端子と信号線との接続と同時に行われるために、生産性を低下させずにグランド回路を増加してシールド機能を向上させることができる。
【００１０】
また本発明では、前記グランドシェル接続片と前記グランド部材との接続部位が、前記信号導電端子と前記信号線との接続部位に対して前記多極配列と直交する高さ方向において略同一の高さ位置となるように設けられている。
【００１１】
このような構成を有する本発明によれば、上述した導電性シェルのグランドシェル接続片とグランド部材との接続作業が、より効率的かつ確実に行われる。
【００１２】
また本発明では、前記第１及び第２の導電性シェルのいずれか一方の導電性シェルが、前記信号線及びシールド線における多極配列方向のほぼ全幅にわたって延在するように設けられる構成を採用することが可能である。
【００１３】
このような構成を有する本発明によれば、信号線を含む信号回路に対する遮蔽作用を導電性シェルにより行うことが可能となり、シールド機能が更に向上されるようになっている。
【００１４】
また本発明では、前記信号線及びシールド線が同軸ケーブルとして構成され、その同軸ケーブルが多極配列された構成を採用することが可能である。
【００１５】
また本発明では、前記第１及び第２の導電性シェルのいずれか一方の導電性シェルには、前記同軸ケーブルを位置規制するケーブル規制部材が一体的に形成された構成を採用することが可能である。
【００１６】
このような構成を有する本発明によれば、同軸ケーブルが導電性シェルによって良好に保持されるようになっている。
【００１７】
また本発明では、前記信号線及びシールド線が接続される第１のコネクタと、前記印刷配線基板に接続される第２のコネクタとが嵌合・離脱可能となるように構成することが可能である。
【００１８】
また本発明では、前記第１及び第２のコネクタが、前記印刷配線基板の平面に対して略直交する方向に嵌合される垂直嵌合型コネクタとして構成されることが可能である。
【発明の効果】
【００１９】
以上述べたように本発明は、同一のグランド部材に圧接又は半田により接続されるグランドシェル接続片を第１の導電性シェルと第２の導電性シェルに一体形成することによってグランド回路の経路を増加させるとともに、それぞれのグランドシェル接続片をグランド部材に半田接続するにあたって、第１及び第２の導電性シェルのいずれか一方のグランドシェル接続片に対するグランド部材の半田接続と、信号導電端子に対する信号線の半田接続とを同時に行うことによって、従来よりも生産性を低下させずにグランド回路を増加して、それによりグランド回路の抵抗値を低減させてシールド機能を向上させることができ、電気コネクタの信頼性を低廉かつ大幅に向上させることができる。
【発明を実施するための最良の形態】
【００２０】
以下、複数本の同軸ケーブルを印刷配線基板側に接続する垂直嵌合型の電気コネクタに本発明を適用した場合の実施形態に関する説明を図面に基づいて詳細に行う。
【００２１】
［第１の実施形態にかかる電気コネクタの組立体について］
まず、図１乃至図５に示された電気コネクタの組立体は、同軸ケーブルＳＣの端末部分が連結されたプラグコネクタ（第１のコネクタ）１と、図示を省略した印刷配線基板上に実装されたリセプタクルコネクタ（第２のコネクタ）２とからなる垂直嵌合型コネクタを構成するものであって、上記リセプタクルコネクタ２の直上に配置されたプラグコネクタ１が、印刷配線基板と略直交する図１の下方側に下降されることによって、前記リセプタクルコネクタ２の嵌合部に対してプラグコネクタ１の嵌合部が差し込まれ、それらの両コネクタ１，２どうしの嵌合が行われるようになっている。以下、プラグコネクタ１を差し込む方向を下方向とし、それとは反対の抜き出す抜去方向を上方向とする。
【００２２】
また、上述したプラグコネクタ１における長手側両端縁部の一方側（図１の手前側）には、多極状に並列するように配列された複数本の同軸ケーブルＳＣの端末部分が連結されているが、以下の説明において、上記同軸ケーブルＳＣの端末部分が連結される側の端縁部を「後端縁部」と呼び、それとは反対側の他端縁部を「前端縁部」と呼ぶこととする。さらに、そのプラグコネクタ１の後端縁部及び前端縁部に対応するリセプタクルコネクタ２の各端縁部についても同様に後端縁部及び前端縁部のように呼ぶこととし、また、それらの後端縁部及び前端縁部に向かう各々の方向を「後方」及び「前方」と呼ぶこととする。
【００２３】
上述した同軸ケーブルＳＣの端末部分においては、外周被覆材が皮剥きされることによってケーブル中心導体（信号線）ＳＣａ及びケーブル外部導体（シールド線）ＳＣｂが同軸状をなすように露出されており、当該同軸ケーブルＳＣの中心軸線に沿うようにして配置されたケーブル中心導体ＳＣａが、プラグコネクタ１の各信号導電端子（シグナルコンタクト）のそれぞれに接続されることによって信号回路が構成されるようになっている。また、上記ケーブル中心導体ＳＣａの外周側を取り囲むように配置されたケーブル外部導体ＳＣｂは、後述するグランド部材を介して導電性シェルに接続されることによってグランド回路が構成されるようになっている。
【００２４】
［信号回路について］
すなわち、前記プラグコネクタ（第１のコネクタ）１及びリセプタクルコネクタ（第２のコネクタ）２は、細長板状をなす絶縁ハウジング１１，２１をそれぞれ備えており、それらの絶縁ハウジング１１，２１の内部に、図１，図４，図５，図９及び図１０にも示されているような長手方向に沿って多数の信号導電端子（シグナルコンタクト）１２（１２ａ，１２ｂ），２２（２２ａ，２２ｂ）が適宜のピッチ間隔で多極配列されている。これら複数体の信号導電端子１２（１２ａ，１２ｂ）は上記絶縁ハウジング１１に対して例えばインサート成形によって埋設された状態にて配置され，複数の信号導電端子２２（２２ａ，２２ｂ）は、上記絶縁ハウジング２１に対して例えば圧入によって埋設された状態にて配置されている。
【００２５】
これらプラグコネクタ（第１のコネクタ）１側の信号導電端子（シグナルコンタクト）１２及びリセプタクルコネクタ（第２のコネクタ）２側の信号導電端子（シグナルコンタクト）２２は、それぞれ２種類の形状を有するものが採用されており、それらの各２種類の信号導電端子１２ａ，１２ｂ及び２２ａ，２２ｂが、上述した多極配列方向（長手方向）に沿って交互に配列されている。そして、プラグコネクタ１がリセプタクルコネクタ２に嵌合されたときに、一方側の信号導電端子１２ａ，２２ａどうし、及び他方側の信号導電端子１２ｂ，２２ｂどうしが、各々に設けられた信号接点部においてバネ弾性的に圧接された状態で接続されるようになっている（特に図４及び図５参照）。
【００２６】
ここで、上述した同軸ケーブルＳＣのケーブル中心導体ＳＣａは、上述したプラグコネクタ（第１のコネクタ）１側の所定の信号導電端子（シグナルコンタクト）１２ａ，１２ｂに対し、上方側に載置されるようにして当接されて各々の信号導電端子１２ａ，１２ｂごとに個別に半田接合されている。すなわち、それら複数体の各ケーブル中心導体ＳＣａと信号導電端子１２との半田接合は、例えば長尺状の半田材を用いることによって一括的に行われるが、各々の信号導電端子１２ａ，１２ｂごとに個別に半田接合されることによって、隣接する信号導電端子どうしが互いに短絡することのないように半田接続された状態となる。
【００２７】
また、上記リセプタクルコネクタ２に配置された信号導電端子（シグナルコンタクト）２２ａ，２２ｂには半田接続部２２ｃ，２２ｄがそれぞれ設けられており、それらの各半田接続部２２ｃ，２２ｄが、印刷配線基板上の信号導電路（図示省略）に半田接合されて電気的な接続が行われ、それによって信号回路が構成されるようになっている。
【００２８】
［グランド回路について］
一方、上述した同軸ケーブルＳＣのケーブル外部導体（シールド線）ＳＣｂは、上下に配置された一対のグランド部材により挟持される構成になされている。すなわち、上方側のグランド部材を構成するように上記ケーブル外部導体ＳＣｂの上面側に圧接配置された上部グランドバーＧＵと、上記プラグコネクタ（第１のコネクタ）１の導電性シェル１３と一体的に形成された下部グランドバーＧＤとによってグランド回路が構成されるようになっている。なお、下部グランドバーＧＤは、本実施例のように導電性シェル１３と一体的に形成されることに限らず、導電性シェル１３とは別に設けても良い。
【００２９】
上述したケーブル外部導体（シールド線）ＳＣｂを挟持している一対のグランド部材のうち、上部グランドバーＧＵは、同軸ケーブルＳＣの多極配列方向に沿って長尺状に延在する細長の帯板状部材から形成されており、各々のケーブル外部導体（シールド線）ＳＣｂの上面側に沿うように載置された状態で、例えば長尺状をなす半田材（図示省略）を用いて一括接続されている。このような長尺状をなす上部グランドバーＧＵには、その長手方向における略中央部分にグランドバー接続舌片ＧＵａが前方側に向かって突出するように設けられている。そのグランドバー接続舌片ＧＵａは、特に図３に示されているように前記上部グランドバーＧＵの前端縁から階段状をなして下降するように形成されており、当該グランドバー接続舌片ＧＵａにおける前方側突出先端部分が、次に説明する導電性シェル１３に一体的に設けられたグランドシェル接続受板（グランドシェル接続片）ＧＵｂに対して上方側から圧接されて半田接合されるように配置されている。
【００３０】
すなわち、本発明の要部を構成する上記グランドシェル接続受板（グランドシェル接続片）ＧＵｂは、前記プラグコネクタ（第１のコネクタ）１の導電性シェル１３に一体的に設けられた構成になされているが、そのプラグコネクタ１における導電性シェル１３の全体構造をまず説明する。
【００３１】
前記プラグコネクタ（第１のコネクタ）１の導電性シェル１３は、上述した絶縁ハウジング１１の外周表面の底面部を除くほぼ全面を覆う薄板状の金属部材から形成されており、前記リセプタクルコネクタ（第２のコネクタ）２における絶縁ハウジング２１の外周側部分を覆う金属製の導電性シェル２３に対して、上記プラグコネクタ１の導電性シェル１３が嵌合接触されることによってグランド回路が構成されるようになっている。
【００３２】
より具体的には、上記プラグコネクタ（第１のコネクタ）１に設けられた導電性シェル１３は、前記絶縁ハウジング１１の下部側にインサート成形された下部側シェル部（第１の導電性シェル）１３ａと、前記絶縁ハウジング１１の上方側から被せるように装着された上部側シェル部（第２の導電性シェル）１３ｂとから構成されている。これらの下部側シェル部１３ａ及び上部側シェル部１３ｂは、上述した同軸ケーブルＳＣの多極配列方向に沿って長尺状に延在する折曲板状部材から形成されており、それらの両シェル部１３ａ，１３ｂによって、上記絶縁ハウジング１１の上面側から前後両端縁にかけての部位が覆われる構成になされている。
【００３３】
これらの両シェル部１３ａ，１３ｂのうちの下部側シェル部（第１の導電性シェル）１３ａは、特に図６乃至図８に示されているようなプレス板金構造になされており、上述した同軸ケーブルＳＣの多極配列方向に沿って延在する前端壁部１３ａ１及び後端壁部１３ａ２を備えている。これらの前端壁部１３ａ１及び後端壁部１３ａ２は、前後方向に互いに対面するように立ち上げられた壁面を有しており、それら両対向壁面どうしの間に画成された空間部分に、前述した信号導電端子（シグナルコンタクト）１２が多極配列されている。このように多極配列された信号導電端子１２の前後両側部分において多極配列方向の全幅領域が、上記導電性シェル１３の前端壁部１３ａ１及び後端壁部１３ａ２により覆われた構成になされていることによって、上記各信号導電端子１２に対する磁気シールドが良好に行われる。
【００３４】
このとき、上記下部側シェル部（第１の導電性シェル）１３ａにおける後端壁部１３ａ２は、前記リセプタクルコネクタ２の導電性シェル２３に対するグランド接続板として形成されており、上述したようにプラグコネクタ１がリセプタクルコネクタ２に嵌合されたときに、その後端壁部１３ａ２の後方側表面がリセプタクルコネクタ２の導電性シェル２３の後述するグランド接続舌片２３ｂ１に対して圧接されるようになっている。
【００３５】
また、上記前端壁部１３ａ１の前方側表面には、長手方向の複数箇所（３箇所）にわたって係止突起１３ａ３が突設されており、それらの各係止突起１３ａ３が、上述した上部側シェル部（第２の導電性シェル）１３ｂの前端接触部１３ｂ１に設けられた係合穴１３ｂ２内に嵌合されることによって上部側シェル部１３ｂが下部側シェル部（第１の導電性シェル）１３ａ側に固定される構成になされている。
【００３６】
さらに、下部側シェル部（第１の導電性シェル）１３ａにおける後端壁部１３ａ２は、その上端部分が後方に向かって横断面略Ｌ字状をなすように略直角に折り曲げられて略水平に延在しており、その略水平延在部分が上述した下部グランドバーＧＤとして形成されている。その下部グランドバーＧＤは、前述したように多極配列された前記同軸ケーブルＳＣのケーブル外部導体（シールド線）ＳＣｂに対して下面側から接触するように略水平に延在する長尺状の板状部材から形成されており、当該下部グランドバーＧＤの上面側に対して前記ケーブル外部導体ＳＣｂが接触配置された状態で、例えば長尺状の半田材を用いて一括半田接合されるようになっている。
【００３７】
また、その下部グランドバーＧＤの長手方向における両端部分には、前記ケーブル外部導体ＳＣｂの多極配列方向における両側部分を位置規制する一対のケーブル規制板ＧＤａが立設されるようにして一体的に折り曲げ形成されている。
【００３８】
一方、上述した上部グランドバーＧＵのグランドバー接続舌片ＧＵａが接触されるように配置されたグランドシェル接続受板（グランドシェル接続片）ＧＵｂは、上記導電性シェル１３を構成している下部側シェル部（第１の導電性シェル）１３ａの前端壁部１３ａ１の長手方向略中央部分に一体的に形成されている。そのグランドシェル接続受板ＧＵｂは、上述した前端壁部１３ａ１の上縁部分から上方に向かってやや立ち上げられた後に後方側に向かって略直角に折り曲げられた側面形状を有しており、そのグランドシェル接続受板ＧＵｂの上面部に対して、上述した上部グランドバーＧＵのグランドバー接続舌片ＧＵａの前方側突出先端部分が上方側から圧接されて半田接合される配置関係になされている。
【００３９】
この導電性シェル１３のグランドシェル接続受板（グランドシェル接続片）ＧＵｂに対して、前記上部グランドバーＧＵのグランドバー接続舌片ＧＵａが圧接されて半田接合される部位は、前述した信号導電端子（シグナルコンタクト）１２ａ，１２ｂにケーブル中心導体ＳＣａが半田接合される部位に対して、多極配列方向に隣接した位置に設定されているとともに、多極配列方向と直交する高さ方向においても略同一となるように設定されている。（特に図１０参照）すなわち、前述したように複数体の各ケーブル中心導体ＳＣａが、例えば長尺状の半田材を用いることによって信号導電端子（シグナルコンタクト）１２ａ，１２ｂに一括的に半田接合される際に、それと同時に、上記導電性シェル１３のグランドシェル接続受板ＧＵｂに対して前記上部グランドバーＧＵのグランドバー接続舌片ＧＵａが一括的に半田接合されるようになっている。
【００４０】
一方、上述した絶縁ハウジング１１の上方側から被せるように装着された上部側シェル部１３ｂの前端縁部分は、下方に向かって略直角に折れ曲がるように形成されており、その折曲部分に前述した前端接触部１３ｂ１が設けられている。その上部側シェル部１３ｂの前端接触部１３ｂ１は、長手方向に沿って長尺状に延在するように設けられていて、プラグコネクタ１がリセプタクルコネクタ２に嵌合されたときにリセプタクルコネクタ２の導電性シェル２３の一部が圧接され、それによって両コネクタ１，２どうしが嵌合された状態に維持されると同時にグランド回路が構成されるようになっている。
【００４１】
さらに、上記プラグコネクタ１の導電性シェル１３における上部側シェル部１３ｂの上面側には、多極配列方向である長手方向に沿って複数体（３体）のグランド接続舌片（グランドシェル接続片）１３ｂ３が列状をなすように切欠き形成されている。それらの各グランド接続舌片１３ｂ３は、片持ちの板バネ状をなすように下方側に向かって切り起こされており、それらの各グランド接続舌片１３ｂ３が、前述した上部グランドバーＧＵの上面側に圧接されて半田接続されるように構成されている。
【００４２】
一方、上述した第２のコネクタとしてのリセプタクルコネクタ２に設けられた導電性シェル２３は、絶縁ハウジング２１の外周を取り囲むように配置されている。当該導電性シェル２３の前後両端縁部分及びその長手方向略中央部分の各々には、外方側に向かって突出するように折り曲げ形成されたホールドダウン２３ａがそれぞれ設けられている。そして、それらの各ホールドダウン２３ａが、前記印刷配線基板上のグランド導電路（図示省略）に対して半田接合されることによってグランド回路の電気的な接続が行われるとともに、リセプタクルコネクタ２の全体が強固に固定されるようになっている。
【００４３】
さらに、その導電性シェル２３の前後両端縁部に沿って横断面略山形状をなすように形成された前後の嵌合受部２３ｂ，２３ｃにおける各内壁面側には、板バネ状をなすようにして前方側に向かって切り起こされた複数体のグランド接続舌片（グランドシェル接続片）２３ｂ１、及び後方側に向かって切り起こされた複数体のグランド接続舌片（グランドシェル接続片）２３ｃ１がそれぞれ設けられている。これらの各グランド接続舌片２３ｂ１，２３ｃ１は、長手方向（多極配列方向）に沿って複数箇所にわたって設けられており、それらの各グランド接続舌片２３ｂ１，２３ｃ１が最も突出した横断面略「へ」の字状をなす部分に（図示省略）、前述したプラグコネクタ１側の導電性シェル１３における前端接触部１３ｂ１及び後端壁部１３ａ２が圧接されることによりグランド回路が構成されるようになっている。
【００４４】
このような構成からなる本実施形態によれば、同軸ケーブルＳＣにおけるケーブル外部導体（シールド線）ＳＣｂに接続されたグランド部材としての上部グランドバーＧＵ及び下部グランドバーＧＤが、導電性シェル１３，２３を介して複数のグランド回路が形成される。特に、同一の上部グランドバーＧＵに対して、下部側シェル部（第１の導電性シェル）１３ａ及び上部側シェル部（第２の導電性シェル）１３ｂにそれぞれ一体的に設けられたグランドシェル接続片であるグランドシェル接続受板ＧＵａ及びグランド接続舌片１３ｂ３が、各々異なる部位に接触するように接続されていることから、一つの上部グランドバーＧＵが、複数のグランドシェル接続片ＧＵａ，１３ｂ３を介して印刷配線基板側へ接続されることとなっている。その結果、一つの上部グランドバーＧＵにより形成されるグランド回路の経路数が増加され、それによって当該グランド回路の抵抗値が減少されるため、シールド機能を向上させることができる。
【００４５】
また、グランドシェル接続受板としてのグランドバー接続舌片ＧＵｂと、グランド部材としての上部グランドバーＧＵ及び下部グランドバーＧＤとの半田接合が、信号導電端子（シグナルコンタクト）１２に対するケーブル中心導体（信号線）ＳＣａの半田接合と同時に行われるため、導電性シェル１３，２３のグランドシェル接続片ＧＵａ，１３ｂ３と上部グランドバーＧＵとの接続作業が効率的かつ確実に行われ、電気コネクタの生産性を低下させずにグランド回路を増加してシールド機能を向上させることができる。
【００４６】
また本発明では、前記導電性シェル１３，２３が、前記信号線としてのケーブル中心導体ＳＣａ及びシールド線としてのケーブル外部導体ＳＣｂにおける多極配列方向のほぼ全幅にわたって延在するように設けられていることから、信号線を含む信号回路に対する遮蔽作用を導電性シェルにより行うことが可能となり、シールド機能が更に向上されるようになっている。
【００４７】
［第２の実施形態にかかる電気コネクタの組立体について］
次に、図１１乃至図１４に示された本発明の第２の実施形態にかかる電気コネクタの組立体は、上述した第１の実施形態と同様に、同軸ケーブルＳＣの端末部分が連結されたプラグコネクタ（第１のコネクタ）１０１と、図示を省略した印刷配線基板上に実装されたリセプタクルコネクタ（第２のコネクタ）１０２とからなる垂直嵌合型コネクタを構成するものであって、上記リセプタクルコネクタ１０２の直上に配置されたプラグコネクタ１０１が、印刷配線基板と略直交する図１１の下方側に下降されることによって、前記リセプタクルコネクタ１０２の嵌合部に対してプラグコネクタ１０１の嵌合部が差し込まれ、それらの両コネクタ１０１，１０２どうしの嵌合が行われるようになっている。
【００４８】
［信号回路について］
前記プラグコネクタ（第１のコネクタ）１０１及びリセプタクルコネクタ（第２のコネクタ）１０２における細長板状の絶縁ハウジング１１１，１２１の内部には、図１１，図１４，図２０及び図２１にも示されているような長手方向に沿って多数の信号導電端子（シグナルコンタクト）１１２，１２２が適宜のピッチ間隔で多極配列されている。そして、プラグコネクタ１０１がリセプタクルコネクタ１０２に嵌合されたときに、それらの信号導電端子１１２，１２２どうしが、各々に設けられた信号接点部においてバネ弾性的に圧接された状態で接続されるようになっている。（特に図１４参照）
【００４９】
同軸ケーブルＳＣのケーブル中心導体ＳＣａは、上述したプラグコネクタ（第１のコネクタ）１０１側の所定の信号導電端子（シグナルコンタクト）１１２に対し、各々個別に上方側に載置されるようにして当接されて半田接合されている。それら複数体の各ケーブル中心導体ＳＣａと信号導電端子１１２との半田接合は、例えば長尺状の半田材を用いることによって一括的に行われているが、各々個別に半田接合された状態となる。また、上記リセプタクルコネクタ１０２に配置された信号導電端子（シグナルコンタクト）１２２の半田接続部１２２ａが、印刷配線基板上の信号導電路（図示省略）に半田接合されて電気的な接続が行われ、それによって信号回路が構成されるようになっている。
【００５０】
［グランド回路について］
一方、同軸ケーブルＳＣのケーブル外部導体（シールド線）ＳＣｂを上下から挟持するように配置された一対のグランド部材のうちの上部グランドバーＧＵには、長手方向における略中央部分にグランドバー接続舌片ＧＵａが前方側に向かって突出するように設けられている。そのグランドバー接続舌片ＧＵａは、特に図１３及び図２１に示されているように前記上部グランドバーＧＵの前端縁から階段状をなして下降するように形成されており、当該グランドバー接続舌片ＧＵａにおける前方側突出先端部分が、導電性シェル１１３に一体的に設けられたグランドシェル接続受板（グランドシェル接続片）ＧＵｂに対して上方側から圧接されて半田接合されるように配置されている。
【００５１】
すなわち、前記プラグコネクタ（第１のコネクタ）１０１の導電性シェル１１３を構成している下部側シェル部（第１の導電性シェル）１１３ａは、特に図１５乃至図１９に示されているように、同軸ケーブルＳＣの多極配列方向に沿って延在する前端壁部１１３ａ１及び後端壁部１１３ａ２を備えている。これらの前端壁部１１３ａ１及び後端壁部１１３ａ２は、前後方向に互いに対面するように立ち上げられた壁面を有しており、それら両対向壁面どうしの間に画成された空間部分に、前述した信号導電端子（シグナルコンタクト）１１２が多極配列されている。このように多極配列された信号導電端子１１２の前後両側部分において多極配列方向の全幅領域が、上記導電性シェル１３の前端壁部１１３ａ１及び後端壁部１１３ａ２により覆われた構成になされていることによって、上記各信号導電端子１１２に対する磁気シールドが良好に行われる。
【００５２】
このとき、上記下部側シェル部（第１の導電性シェル）１１３ａにおける後端壁部１１３ａ２は、前記リセプタクルコネクタ１０２の導電性シェル１２３に対するグランド接続板として形成されており、上述したようにプラグコネクタ１０１がリセプタクルコネクタ１０２に嵌合されたときに、その後端壁部１１３ａ２の後方側表面がリセプタクルコネクタ１０２の導電性シェル１２３の後述するグランド接続舌片１２３ｃ１に対して圧接されるようになっている。
【００５３】
また、上記前端壁部１１３ａ１の前方側表面には、長手方向の複数箇所（３箇所）にわたって係止突起１１３ａ３が突設されており、それらの各係止突起１１３ａ３が、上述した上部側シェル部（第２の導電性シェル）１１３ｂの前端係合部１１３ｂ１に設けられた係合穴１１３ｂ２内に嵌合されることによって上部側シェル部１１３ｂが下部側シェル部（第１の導電性シェル）１１３ａ側に固定される構成になされている。
【００５４】
また、上記前端壁部１１３ａ１の後方側表面１１３ａ４は、前記リセプタクルコネクタ１０２の導電性シェル１２３に対するグランド接続板として形成されており、プラグコネクタ１０１がリセプタクルコネクタ１０２に嵌合されたときに、その後方側表面１１３ａ４とリセプタクルコネクタ１０２の導電性シェル１２３の前端壁部１２３ｂ１に接触されることによりグランド回路が構成されるようになっている。
【００５５】
さらに、下部側シェル部（第１の導電性シェル）１１３ａにおける後端壁部１１３ａ２は、その上端部分が後方に向かって横断面略Ｌ字状をなすように略直角に折り曲げられて略水平に延在しており、その略水平延在部分が上述した下部グランドバーＧＤとして形成されている。その下部グランドバーＧＤは、前述したように多極配列された前記同軸ケーブルＳＣのケーブル外部導体（シールド線）ＳＣｂに対して下面側から接触するように略水平に延在する長尺状の板状部材から形成されており、当該下部グランドバーＧＤの上面側に対して前記ケーブル外部導体ＳＣｂが接触配置された状態で、例えば長尺状の半田材を用いて一括半田接合されるようになっている。
【００５６】
また、その下部グランドバーＧＤの長手方向における両端部分には、前記ケーブル外部導体ＳＣｂの多極配列方向における両側部分を位置規制する一対のケーブル規制板ＧＤａが立設されるようにして一体的に折り曲げ形成されている。
【００５７】
一方、上述した上部グランドバーＧＵのグランドバー接続舌片ＧＵａが接触されるように配置されたグランドシェル接続受板（グランドシェル接続片）ＧＵｂは、上記導電性シェル１１３を構成している下部側シェル部（第１の導電性シェル）１１３ａの前端壁部１１３ａ１の長手方向略中央部分に一体的に形成されている。そのグランドシェル接続受板ＧＵｂは、上述した前端壁部１１３ａ１の上縁部分から上方に向かってやや立ち上げられた後に後方側に向かって略直角に折り曲げられた側面形状を有しており、そのグランドシェル接続受板ＧＵｂの上面部に対して、上述した上部グランドバーＧＵのグランドバー接続舌片ＧＵａの前方側突出先端部分が上方側から圧接されて半田接合される配置関係になされている。
【００５８】
この導電性シェル１１３のグランドシェル接続受板（グランドシェル接続片）ＧＵｂに対して、前記上部グランドバーＧＵのグランドバー接続舌片ＧＵａが圧接されて半田接合される部位は、前述した信号導電端子（シグナルコンタクト）１１２にケーブル中心導体ＳＣａが半田接合される部位に対して、多極配列方向に隣接した位置に設定されているとともに、多極配列方向と直交する高さ方向においても略同一となるように設定されている。（特に図２１参照）すなわち、前述したように複数体の各ケーブル中心導体ＳＣａが、例えば長尺状の半田材を用いることによって信号導電端子（シグナルコンタクト）１１２に一括的に半田接合される際に、それと同時に、上記導電性シェル１１３のグランドシェル接続受板ＧＵｂに対して前記上部グランドバーＧＵのグランドバー接続舌片ＧＵａが一括的に半田接合されるようになっている。
【００５９】
一方、上述した絶縁ハウジング１１１の上方側から被せるように装着された上部側シェル部１１３ｂの前端縁部分は、下方に向かって略直角に折れ曲がるように形成されており、その折曲部分に前述した前端係合部１１３ｂ１が設けられている。その上部側シェル部１１３ｂの前端係合部１１３ｂ１は、長手方向に沿って長尺状に延在するように設けられている。
【００６０】
さらに、上記プラグコネクタ１０１の導電性シェル１１３における上部側シェル部１１３ｂの上面側には、多極配列方向である長手方向に沿って複数体（４体）のグランド接続舌片（グランドシェル接続片）１１３ｂ３が列状をなすように切欠き形成されている。それらの各グランド接続舌片１１３ｂ３は、片持ちの板バネ状をなすように下方側に向かって切り起こされており、それらの各グランド接続舌片１１３ｂ３が、前述した上部グランドバーＧＵの上面側に圧接されて半田接続されるように構成されている。
【００６１】
一方、上述した第２のコネクタとしてのリセプタクルコネクタ１０２に設けられた導電性シェル１２３の前後両端縁部分、長手方向両端部分、及び長手方向の略中央部分の各々には、外方側に向かって突出するように折り曲げ形成されたホールドダウン１２３ａがそれぞれ設けられている。そして、それらの各ホールドダウン１２３ａが、前記印刷配線基板上のグランド導電路（図示省略）に対して半田接合されることによってグランド回路の電気的な接続が行われるとともに、リセプタクルコネクタ１０２の全体が強固に固定されるようになっている。
【００６２】
さらに、その導電性シェル１２３の後端縁部に沿って横断面略山形状をなすように形成された嵌合受部１２３ｃにおける前方側内壁面には、板バネ状をなすようにして前方側に向かって切り起こされた複数体のグランド接続舌片１２３ｃ１（グランドシェル接続片）が設けられており、そのグランド接続舌片１２３ｃ１が最も突出した部分に、前述したプラグコネクタ１０１側の導電性シェル１１３における後端壁部１１３ａ２が圧接されることによりグランド回路が構成されるようになっている。
【００６３】
このような構成からなる第２の実施形態においても、前述した第１の実施形態と同様な作用・効果を奏する。すなわち、同軸ケーブルＳＣにおけるケーブル外部導体（シールド線）ＳＣｂに接続されたグランド部材としての上部グランドバーＧＵ及び下部グランドバーＧＤが、導電性シェル１１３，１２３を介して複数のグランド回路が形成され、一つの上部グランドバーＧＵが、複数のグランドシェル接続片ＧＵａ，１１３ｂ３を介して印刷配線基板側へ接続される。その結果、一つの上部グランドバーＧＵにより形成されるグランド回路の経路数が増加され、それによって当該グランド回路の抵抗値が減少されるため、シールド機能を向上させることができるとともに、グランドシェル接続受板としてのグランドバー接続舌片ＧＵｂと、グランド部材としての上部グランドバーＧＵ及び下部グランドバーＧＤとの半田接合が、信号導電端子（シグナルコンタクト）１１２に対するケーブル中心導体（信号線）ＳＣａの半田接合と同時に行われるため、導電性シェル１１３，１２３のグランドシェル接続片ＧＵａ，１１３ｂ３と上部グランドバーＧＵとの接続作業が効率的かつ確実に行われ、電気コネクタの生産性を低下させずにグランド回路を増加してシールド機能が向上されるようになっている。
【００６４】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００６５】
例えば、上述した実施形態は、垂直嵌合型の電気コネクタに本発明を適用したものであるが、水平嵌合型の電気コネクタに対しても同様に適用することができる。
【００６６】
また本発明は、上述した各実施形態のような同軸ケーブル用コネクタに限定されることはなく、同軸ケーブルと絶縁ケーブルとが複数混合したタイプの電気コネクタや、フレキシブル配線基板等が連結される電気コネクタ等についても同様に適用することが可能である。
【産業上の利用可能性】
【００６７】
以上のように本実施形態は、各種電気機器に使用される多種多様な電気コネクタに対して広く適用することが可能である。
【図面の簡単な説明】
【００６８】
【図１】本実施形態の第１の実施形態にかかるプラグコネクタとリセプタクルコネクタとを嵌合しようとしている状態を表した後方側からの外観斜視説明図である。
【図２】図１に示された本実施形態の第１の実施形態にかかるプラグコネクタとリセプタクルコネクタとを嵌合した後の状態を表した後方側からの外観斜視説明図である。
【図３】図２に示されたプラグコネクタとリセプタクルコネクタとを嵌合した状態を表した長手方向の略中央部分における図２中のIII−III線に沿った横断面説明図である。
【図４】図２に示されたプラグコネクタとリセプタクルコネクタとを嵌合した状態を表した図２中のIV−IV線に沿った横断面説明図である。
【図５】図２に示されたプラグコネクタとリセプタクルコネクタとを嵌合した状態を表した図２中のV−V線に沿った横断面説明図である。
【図６】図１乃至図５に示されたプラグコネクタに用いられている導電性シェルの下部側シェル部を表した後方側からの外観斜視説明図である。
【図７】図６に示された導電性シェルの下部側シェル部を表した前方側からの外観斜視説明図である。
【図８】図６及び図７に示された導電性シェルの下部側シェル部を表した側面説明図である。
【図９】図１乃至図５に示されたプラグコネクタから上部側シェル部を取り外した状態であって同軸ケーブルを接続する前の状態を表した外観斜視説明図である。
【図１０】図９に示されたプラグコネクタに対して同軸ケーブルを接続した後の状態を表した後方側からの外観斜視説明図である。
【図１１】本実施形態の第２の実施形態にかかるプラグコネクタとリセプタクルコネクタとを嵌合しようとしている状態を表した後方側からの外観斜視説明図である。
【図１２】図１１に示された本実施形態の第２の実施形態にかかるプラグコネクタとリセプタクルコネクタとを嵌合した後の状態を表した後方側からの外観斜視説明図である。
【図１３】図１２に示されたプラグコネクタとリセプタクルコネクタとを嵌合した状態を表した長手方向の略中央部分における図２中のXIII−XIII線に沿った横断面説明図である。
【図１４】図１２に示されたプラグコネクタとリセプタクルコネクタとを嵌合した状態を表した図２中のXIV−XIV線に沿った横断面説明図である。
【図１５】図１１乃至図１４に示されたプラグコネクタに用いられている導電性シェルの下部側シェル部を表した後方側からの外観斜視説明図である。
【図１６】図１５に示された導電性シェルの下部側シェル部を表した前方側からの外観斜視説明図である。
【図１７】図１５及び図１６に示された導電性シェルの下部側シェル部を表した側面説明図である。
【図１８】図１６に示された下部側シェル部のXVIII−XVIII線に沿った横断面説明図である。
【図１９】図１６に示された下部側シェル部のXIX−XIX線に沿った横断面説明図である。
【図２０】図１１乃至図１４に示されたプラグコネクタから上部側シェル部を取り外した状態であって同軸ケーブルを接続する前の状態を表した外観斜視説明図である。
【図２１】図２０に示されたプラグコネクタに対して同軸ケーブルを接続した後の状態を表した後方側からの外観斜視説明図である。
【符号の説明】
【００６９】
１  プラグコネクタ（第１のコネクタ１）
２  リセプタクルコネクタ（第２のコネクタ２）
ＳＣ  同軸ケーブル
ＳＣａ  ケーブル中心導体（ケーブル中心導体ＳＣａ）
ＳＣｂ  ケーブル外部導体（シールド線）
ＧＵ  上部グランドバー（グランド部材）
ＧＵａ  グランドバー接続舌片
ＧＵｂ  グランドシェル接続受板（グランドシェル接続片）
ＧＤ  下部グランドバー（グランド部材）
ＧＤａ  ケーブル規制板
１１，２１  絶縁ハウジング
１２，１２ａ，１２ｂ，２２，２２ａ，２２ｂ  信号導電端子（シグナルコンタクト）
１３  導電性シェル
１３ａ  下部側シェル部
１３ａ１  前端壁部
１３ａ２  後端壁部
１３ａ３  係止突起
１３ｂ  上部側シェル部
１３ｂ１  前端接触部
１３ｂ２  係合穴
１３ｂ３  グランド接続舌片（グランドシェル接続片）
２３  導電性シェル
２３ａ  ホールドダウン
２３ｂ，２３ｃ  嵌合受部
２３ｂ１，２３ｃ１  グランド接続舌片
１０１  プラグコネクタ（第１のコネクタ１）
１０２  リセプタクルコネクタ（第２のコネクタ２）
１１１，１２１  絶縁ハウジング
１１２，１２２  信号導電端子（シグナルコンタクト）
１１３  導電性シェル
１１３ａ  下部側シェル部
１１３ａ１  前端壁部
１１３ａ２  後端壁部
１１３ａ３  係止突起
１１３ａ４  後方側表面
１１３ｂ  上部側シェル部
１１３ｂ１  前端係合部
１１３ｂ２  係合穴
１１３ｂ３  グランド接続舌片（グランドシェル接続片）
１２２  信号導電端子（シグナルコンタクト）
１２２ａ  半田接続部
１２３  導電性シェル
１２３ａ  ホールドダウン
１２３ｂ，１２３ｃ  嵌合受部
１２３ｂ１  前端壁部
１２３ｃ１  グランド接続舌片
【図１】
2008277020.tif 000003
【図２】
2008277020.tif 000004
【図３】
2008277020.tif 000005
【図４】
2008277020.tif 000006
【図５】
2008277020.tif 000007
【図６】
2008277020.tif 000008
【図７】
2008277020.tif 000009
【図８】
2008277020.tif 000010
【図９】
2008277020.tif 000011
【図１０】
2008277020.tif 000012
【図１１】
2008277020.tif 000013
【図１２】
2008277020.tif 000014
【図１３】
2008277020.tif 000015
【図１４】
2008277020.tif 000016
【図１５】
2008277020.tif 000017
【図１６】
2008277020.tif 000018
【図１７】
2008277020.tif 000019
【図１８】
2008277020.tif 000020
【図１９】
2008277020.tif 000021
【図２０】
2008277020.tif 000022
【図２１】
2008277020.tif 000023